【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
画像データ及びヘッダ情報を含むパケットデータを入力する入力工程と、
前記画像データを第１の圧縮率で圧縮して第１圧縮画像データを取得する圧縮工程と、
前記第１圧縮画像データのデータ量を計測する第１の計測工程と、
前記第１圧縮画像データのデータ量に応じて前記ヘッダ情報を更新する第１のヘッダ情報更新工程と、
前記第１圧縮画像データのデータ量が目標値より大きい場合、前記画像データを再圧縮して、前記第１圧縮画像データよりもデータ量が小さい第２圧縮画像データを取得する再圧縮工程と、
前記第２圧縮画像データのデータ量を計測する第２の計測工程と、
前記第２圧縮画像データのデータ量に応じて前記ヘッダ情報を更新する第２のヘッダ情報更新工程と、
前記第１圧縮画像データのデータ量が前記目標値以下の場合、前記第１のヘッダ情報更新工程によって更新された前記ヘッダ情報と前記第１圧縮画像データとを出力し、前記第１圧縮画像データのデータ量が前記目標値より大きい場合、前記第２のヘッダ情報更新工程によって更新された前記ヘッダ情報と前記第２圧縮画像データとを出力する出力工程と
を有することを特徴とする画像処理方法。
【請求項２】
前記再圧縮工程が、前記圧縮工程によって圧縮された前記画像データを復号し、復号された該画像データのビット列を所定ビット数分シフト操作し、該所定ビット数分のビットがシフト操作されたビット列からなる前記画像データを符号化することを特徴とする請求項１に記載の画像処理方法。
【請求項３】
前記圧縮工程によって取得される前記第１圧縮画像データ及び前記再圧縮工程によって取得される前記第２圧縮画像データが、ＪＰＥＧ圧縮された画像データであることを特徴とする請求項１又は２に記載の画像処理方法。
【請求項４】
画像データ及びヘッダ情報を含むパケットデータを入力する入力手段と、
前記画像データを第１の圧縮率で圧縮して第１圧縮画像データを取得する圧縮手段と、
前記第１圧縮画像データのデータ量を計測する第１の計測手段と、
前記第１圧縮画像データのデータ量に応じて前記ヘッダ情報を更新する第１のヘッダ情報更新手段と、
前記第１圧縮画像データのデータ量が目標値より大きい場合、前記画像データを再圧縮して、前記第１圧縮画像データよりもデータ量が小さい第２圧縮画像データを取得する再圧縮手段と、
前記第２圧縮画像データのデータ量を計測する第２の計測手段と、
前記第２圧縮画像データのデータ量に応じて前記ヘッダ情報を更新する第２のヘッダ情報更新手段と、
前記第１圧縮画像データのデータ量が前記目標値以下の場合、前記第１のヘッダ情報更新手段によって更新された前記ヘッダ情報と前記第１圧縮画像データとを出力し、前記第１圧縮画像データのデータ量が前記目標値より大きい場合、前記第２のヘッダ情報更新手段によって更新された前記ヘッダ情報と前記第２圧縮画像データとを出力する出力手段と
を備えることを特徴とする画像処理装置。
【請求項５】
前記再圧縮手段が、
前記圧縮工程によって圧縮された前記画像データを復号する復号手段と、
復号された前記画像データのビット列を所定ビット数分シフト操作するビットシフト手段と、
前記ビットシフト手段によって前記所定ビット数分のビットがシフト操作されたビット列からなる前記画像データを符号化する符号化手段と
を備えることを特徴とする請求項４に記載の画像処理装置。
【請求項６】
前記圧縮手段によって取得される前記第１圧縮画像データ及び前記再圧縮手段によって取得される前記第２圧縮画像データが、ＪＰＥＧ圧縮された画像データであることを特徴とする請求項４又は５に記載の画像処理装置。
【請求項７】
コンピュータに、
画像データ及びヘッダ情報を含むパケットデータを入力する入力手順と、
前記画像データを第１の圧縮率で圧縮して第１圧縮画像データを取得する圧縮手順と、
前記第１圧縮画像データのデータ量を計測する第１の計測手順と、
前記第１圧縮画像データのデータ量に応じて前記ヘッダ情報を更新する第１のヘッダ情報更新手順と、
前記第１圧縮画像データのデータ量が目標値より大きい場合、前記画像データを再圧縮して、前記第１圧縮画像データよりもデータ量が小さい第２圧縮画像データを取得する再圧縮手順と、
前記第２圧縮画像データのデータ量を計測する第２の計測手順と、
前記第２圧縮画像データのデータ量に応じて前記ヘッダ情報を更新する第２のヘッダ情報更新手順と、
前記第１圧縮画像データのデータ量が前記目標値以下の場合、前記第１のヘッダ情報更新手順によって更新された前記ヘッダ情報と前記第１圧縮画像データとを出力し、前記第１圧縮画像データのデータ量が前記目標値より大きい場合、前記第２のヘッダ情報更新手順によって更新された前記ヘッダ情報と前記第２圧縮画像データとを出力する出力手順と
を実行させるためのプログラム。
【請求項８】
請求項７に記載のプログラムを格納したことを特徴とするコンピュータ読み取り可能な記録媒体。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
本発明は、このような事情を考慮してなされたものであり、画像データ及びヘッダ情報を含むパケットデータを単位として画像データを圧縮する際において、その圧縮により得られる圧縮画像データを所望のデータ量以下に抑えることができる画像処理装置及び画像処理方法を提供することを目的とする。
【手続補正６】
【補正対象書類名】明細書
【補正対象項目名】００１４
【補正方法】変更
【補正の内容】
【００１４】
【課題を解決するための手段】
上記課題を解決するために、本発明に係る画像処理方法は、画像データ及びヘッダ情報を含むパケットデータを入力する入力工程と、前記画像データを第１の圧縮率で圧縮して第１圧縮画像データを取得する圧縮工程と、前記第１圧縮画像データのデータ量を計測する第１の計測工程と、前記第１圧縮画像データのデータ量に応じて前記ヘッダ情報を更新する第１のヘッダ情報更新工程と、前記第１圧縮画像データのデータ量が目標値より大きい場合、前記画像データを再圧縮して、前記第１圧縮画像データよりもデータ量が小さい第２圧縮画像データを取得する再圧縮工程と、前記第２圧縮画像データのデータ量を計測する第２の計測工程と、前記第２圧縮画像データのデータ量に応じて前記ヘッダ情報を更新する第２のヘッダ情報更新工程と、前記第１圧縮画像データのデータ量が前記目標値以下の場合、前記第１のヘッダ情報更新工程によって更新された前記ヘッダ情報と前記第１圧縮画像データとを出力し、前記第１圧縮画像データのデータ量が前記目標値より大きい場合、前記第２のヘッダ情報更新工程によって更新された前記ヘッダ情報と前記第２圧縮画像データとを出力する出力工程とを有することを特徴とする。
【手続補正７】
【補正対象書類名】明細書
【補正対象項目名】０２９４
【補正方法】変更
【補正の内容】
【０２９４】
【発明の効果】
以上説明したように、本発明によれば、画像データ及びヘッダ情報を含むパケットデータを単位として画像データを圧縮する際において、その圧縮により得られる圧縮画像データを所望のデータ量以下に抑えることができる。